(57)【要約】【課題】  排気筒のグリルケース後方部分への組み込み構造を簡素化する事を目的とするものである。【解決手段】  調理器本体内に内蔵され被調理物を収納して加熱するグリルケースと、このグリルケースの背面に連結され、グリルケース内の排気を調理器本体の上面後方に開口した排気孔より排出する排気筒と、この排気筒内に配置した触媒と、排気筒内の触媒よりも下流側に配置された排気ファンとを備えたものにおいて、触媒を上面を開口した触媒ケース内に装着してグリルケースの背面に連結すると共に、排気ファンを排気筒内に収納して一体化し、この排気筒を触媒ケースの排気開口に係止するフック部と調理器本体に係止する係止片によりグリルケースの後部に上面より着脱自在に係止した後、触媒ケースと排気ファンの上面を１枚の上面板にて被覆し、この上面板をビスにより触媒ケースと排気筒に固定することで、この排気筒をグリルケースに固定して成る。【選択図】        図３
2008075915.tif 000002
【特許請求の範囲】
【請求項１】
天面に被調理物を載置する天板を装着した調理器本体内に内蔵され被調理物を収納して加熱するグリルケースと、このグリルケースの背面に連結され、グリルケース内の排気を上記調理器本体の上面後方に開口した排気孔より排出する排気筒と、この排気筒内に配置した触媒と、上記排気筒内の触媒よりも下流側に配置された排気ファンとを備えたものにおいて、上記触媒を上面を開口した触媒ケース内に装着して上記グリルケースの背面に連結すると共に、上記排気ファンを排気筒内に収納して一体化し、この排気筒を上記触媒ケースの排気開口に係止するフック部と上記調理器本体の排気孔孔縁に係止する係止片により上記グリルケースの後部に上面より着脱自在に係止した後、上記触媒ケースと排気ファンの上面を１枚の上面板にて被覆し、この上面板をビスにより上記触媒ケースと排気筒に固定することで、この排気筒を上記グリルケースに固定した事を特徴とするグリル装置。
【請求項２】
上記排気ファンを上記触媒の後方に並行して横置配置したシロッコファンにて構成すると共に、このシロッコファンをファンケース内に収納して、このファンケースと上記上面板との間に上記排気開口に連通する排気通路を区画形成した事を特徴とする、上記請求項１に記載のグリル装置。
【請求項３】
上記ファンケースの上記シロッコファンの軸方向に対向位置する左右側壁板の少なくとも一方に上記排気通路に連通する吸気孔を設けると共に、上記一方の側壁板の外側に対向位置して吸気板を配置し、かつこの吸気板の上面を上記上面板にて閉塞して、上記一方の側壁板と上面板との間に上記排気通路を区画形成した事を特徴とする、上記請求項２に記載のグリル装置。
【請求項４】
上記吸気板に吸気孔を穿孔し、この吸気孔より上記調理器本体内の空気の一部を上記排気筒より外部に排気する事を特徴とする、上記請求項３に記載のグリル装置。
【発明の詳細な説明】
【技術分野】
【０００１】
本発明は、主にシステムキッチンに組み込んで使用される電磁調理器等に内蔵されて魚焼き調理を行うもので、特に魚等の被調理物を収納して加熱するグリルケース内から発生する排気を排気筒にて外部に排気し、かつこの排気筒に臭気や油煙を除去する触媒と排気ファンを配置したグリル装置に関する。
【背景技術】
【０００２】
主に魚焼き調理を行うグリル装置で、例えば電磁調理器等の台所に設置して使用する調理器内に組み込まれたものでは、魚等の被調理物を入れて加熱するグリルケースに排気通路を連結し、この排気通路よりグリルケース内で発生した排気を外部に排出しているが、魚焼き調理では、排気通路から排出される排気の臭気が強く、例えば特許文献１に示される様に、排気通路に触媒と排気ファンを配置し、上記触媒により排気中の臭気や油煙を除去するものがある。
【特許文献１】特開２００５−５５０８８号公報
【発明の開示】
【発明が解決しようとする課題】
【０００３】
一方、例えば上記特許文献１に記載の排気ユニットでは、この排気ユニットを複数のダクト部を結合して構成している為、各ダクト部を構成する部品点数が多くなると共に、部品点数の増加に伴って組立て工数が多くなり、これらの増加によりコストアップを招くという問題がある。
【０００４】
そこで本発明は、グリルケースの後方に排気ファンを備えた排気筒を配置したものにおいて、この排気筒のグリルケース後方部分への組み込み構造を簡素化する事を目的とするものである。
【課題を解決するための手段】
【０００５】
本発明の請求項１の構成は、天面に被調理物を載置する天板を装着した調理器本体内に内蔵され被調理物を収納して加熱するグリルケースと、このグリルケースの背面に連結され、グリルケース内の排気を調理器本体の上面後方に開口した排気孔より排出する排気筒と、この排気筒内に配置した触媒と、排気筒内の触媒よりも下流側に配置された排気ファンとを備えたものにおいて、触媒を上面を開口した触媒ケース内に装着してグリルケースの背面に連結すると共に、排気ファンを排気筒内に収納して一体化し、この排気筒を触媒ケースの排気開口に係止するフック部と調理器本体の排気孔孔縁に係止する係止片によりグリルケースの後部に上面より着脱自在に係止した後、触媒ケースと排気ファンの上面を１枚の上面板にて被覆し、この上面板をビスにより触媒ケースと排気筒に固定することで、この排気筒をグリルケースに固定した成るものである。
【０００６】
本発明の請求項２の構成は、請求項１の構成において、排気ファンを触媒の後方に並行して横置配置したシロッコファンにて構成すると共に、このシロッコファンをファンケース内に収納して、このファンケースと上面板との間に排気開口に連通する排気通路を区画形成して成るものである。
【０００７】
本発明の請求項３の構成は、請求項２の構成において、ファンケースのシロッコファンの軸方向に対向位置する左右側壁板の少なくとも一方に排気通路に連通する吸気孔を設けると共に、一方の側壁板の外側に対向位置して吸気板を配置し、かつこの吸気板の上面を上面板にて閉塞して、一方の側壁板と上面板との間に排気通路を区画形成して成るものである。
【０００８】
本発明の請求項４の構成は、請求項３の構成において、吸気板に吸気孔を穿孔し、この吸気孔より調理器本体内の空気の一部を排気筒より外部に排気して成るものである。
【発明の効果】
【０００９】
本発明の請求項１に記載の構成により、排気筒に排気ファンを収納して一体化し、この排気筒をフック部と係止部によりグリルケース後方の所定位置に調理器本体の上面から挿入して装着し、グリルケースの背面に連結した触媒ケースの上面と排気ファンの上面を１枚の上面板にて被覆し、この上面板をビスで固定することで排気筒をグリルケースに固定したことで、触媒ケースと排気筒を構成する部品点数を削減できると同時に組立て工数も削減し、これによりコストダウンを図る事が出来るものである。
【００１０】
本発明の請求項２に記載の構成により、ファンケースと上面板との間に排気通路を区画形成したことで、排気セットをグリルケースに固定する上面板を利用して排気通路を形成する事が出来、部品点数の削減によるコストダウンを図る事が出来るものである。
【００１１】
本発明の請求項３に記載の構成により、ファンケースの一方の側壁板の外側に対向位置して吸気板を配置すると共に、この側壁板と上面板との間に排気通路を区画形成したことで、上面板を利用してグリルケースから排出された排気を排気ファンの吸気孔に導く排気通路を形成する事ができ、部品点数や組立て工数の削減によるコストダウンを図る事が出来るものである。
【００１２】
本発明の請求項４に記載の構成により、吸気板に穿孔した吸気孔より調理器本体内の空気の一部を排気筒より外部に排気することで、グリルの使用時に特に高温と成り易いグリルケース周囲の空気を排気筒を利用して外部に排気し、グリルケースの周囲に配置された電気部品の温度上昇による故障や耐久性能の低下を防止する事が出来るものである。
【発明を実施するための最良の形態】
【００１３】
本発明による実施例を先ず図１に基づき説明すると、１はシステムキッチン等にドロップイン方式にて組み込んで使用される電磁調理器の調理器本体で、天面に耐熱ガラス製の天板２を装着していると共に、この天板の下方内部に熱源となる左右一対の誘導加熱コイル３，４とラジエントヒータ５を内蔵している。
【００１４】
一方、上記電磁調理器本体１の前面右側には操作パネル６を配設し、この操作パネルの左側にはグリル７用のグリル扉８を引き出し自在に配設し、かつ、上記操作パネル６には、シーソー式の電源スイッチ９、複数の操作キー１０・・やプッシュプッシュ式で回転操作を行なう操作摘み１１・・等を配設している。尚、上記操作摘み１１・・は、プッシュ操作により引き出すと誘導加熱コイル３，４やラジエントヒータ５、グリル７内の図示しないグリルヒータへの通電を開始し、押し込むと運転を停止し、引き出し位置で回転操作すると火力や調理時間、調理温度等を設定する様に構成している。
【００１５】
又、上記天板２の外周縁を天板枠１２により押圧固定していると共に、この天板枠の前端部には静電容量の変化から入力操作を検出する非接触式のタッチキーにて構成した天面操作部１３を配置し、かつ天板枠１２の後端部左右には多数の通気孔を穿孔した吸排気カバー１４，１４を着脱自在に装着している。
【００１６】
尚、上記調理器本体１内には、図２にて示すように左側に上記グリル７のグリルケース１５を配置し、このグリルケースの右横には上記誘導加熱コイル３，４に高周波電流を供給するインバータ回路や、ラジエントヒータ５等への通電を制御する制御回路１６と、これらの制御回路や上記グリルケース１５の周囲に冷却風を送風する冷却ファン１７を配置し、かつ上記天板枠１２の後端部には上記吸排気カバー１４，１４にて被覆する排気孔１８と吸気孔１９を穿孔し、排気孔１８には、グリルケース１５内の排気を排出する排気筒２０の上端に開口した排出孔２１を対向位置している。
【００１７】
図３は上記グリルケース１５の天板を外した状態の斜視図で、グリルケース１５内の上下にシーズヒータにて構成したグリルヒータ３０，３１を装着していると共に、グリルケース１５の背面には多数のケース排気孔３２・・を穿孔した排気板３３を装着し、かつこの排気板の背面には上面を開口した触媒ケース３４を連結している。
【００１８】
上記触媒ケース３４内には、図４にても示す様にこの触媒ケースの左右側壁３５，３５の上端に形成した切欠溝３６，３６にて白金やパラジウムを主成分とした触媒３７を上方より着脱可能に収納していると共に、触媒３７のグリルケース１５側である前面にはシーズヒータにて構成した触媒ヒータ３８を装着している。
【００１９】
そして上記触媒ケース３４の背面後方には上記排気筒２０を連結していると共に、この排気筒は、ファンケース４０と、このファンケースの後方に連結した略垂直に立ち上がる排出ダクト４１により構成している。
【００２０】
又、上記ファンケース４０内には、図５にても示す様に、少なくとも一方の側壁板４３に開口した吸気孔４５にて軸方向の端面より吸気し、円周方向の上記排出ダクト４１内に排気するシロッコファンにて構成した排気ファン４６を収納すると共に、この排気ファン４６の他方に対向してファンモータ４８を配置し、このファンモータにて排気ファン４６を回転駆動する。
【００２１】
一方、上記ファンケース４０の前面には、上記触媒ケース３４の背面に開口した排気開口５０の底縁５１に上面から係止するフック部５２を折曲形成していると共に、上記排出ダクト４１の背面壁５３上端に、図６にて示す様に上記調理器本体１の背面ケース５４の上端縁に開口した係止孔５５に上面より係止する係止片５６を一体に折曲形成し、これらフック部５２と係止片５６によって、上記排気筒２０を調理器本体１の上面からグリルケース１５の背面部に着脱可能に装着する様に構成している。
【００２２】
これらの構成により、上記排気筒２０を調理器本体１内のグリルケース１５後方に比較的簡単に組み込むことが可能となり、組立て工数の削減によるコストダウンを図ることが出来ると共に、何らかの原因により排気ファン４６やファンモータ４８が故障しても、簡単に修理や交換を行なうことが出来るものである。
【００２３】
又上記ファンケース４０の側壁板４３の外側に対向して吸気板５１を配置していると共に、触媒ケース３４とファンケース４０の上面は上面板５７にて被覆し、この上面板を複数のビス５８・・により触媒ケース３４と上記吸気板５１及び、上記ファンケース４０の他方の側壁板４２に固定し、これにより排気筒２０を、触媒ケース３４を介してグリルケース１５に確実に固定し、かつ、上記上面板５７と上記ファンケース４０と吸気板５１にて上記排気開口５０を吸気孔４５に連通する排気通路５３を区画形成している。
【００２４】
これらの構成により、排気通路５３をわずかな構成部品により形成する事ができ、部品点数や組立て工数の削減によるコストダウンを図る事が出来るものである。
【００２５】
尚、上記吸気板５１には多数の吸気孔５９・・を穿孔し、これらの吸気孔より周囲の空気を吸引してグリルケース１５内で発生する排気に混合して排出ダクト４１に排気し、排気温度を下げると同時に、調理器本体１内の冷却を行なう様に構成している。
【００２６】
更に上記排出ダクト４１内には、例えばスリット状の多数の通気孔６０・・を穿孔した攪拌板６１を、その前方を低くなる様に斜めに傾斜して装着し、これにより、排出ダクト４１内を通過する排気が攪拌板６１による抵抗と通気孔６０・・を通過時に発生する乱流により攪拌され、グリルケース１５内で発生する排気に上記通気孔６０・・から吸引した空気を混合し、上記排出孔２１から排出される排気温度が均一化され、誤って吸排気カバー１４，１４の近くに鍋等が置かれても、排出孔２１から排出される排気により局部的に高温に加熱されることがなく、取手等の加熱による変形や変色を防止することができる。
【００２７】
又、上記構成により、掃除等の何らかの理由により吸排気カバー１４，１４が外されている場合に排出孔２１より箸等の異物が排出ダクト４１内に落下しても、攪拌板５６によりシロッコファン４６への落下を防止し、落下によるシロッコファンやファンケース４０、排出ダクト４１の損傷を防止する事が出来るものである。
【図面の簡単な説明】
【００２８】
【図１】本発明の実施例を示す斜視図である。
【図２】同じく一部の部品を分解時の斜視図である。
【図３】同じくグリルの一部の部品を分解した斜視図である。
【図４】同じく要部の一部分解斜視図である。
【図５】同じく要部の一部分解斜視図である。
【図６】同じく調理器本体の一部の部品を分解時の斜視図である。
【符号の説明】
【００２９】
１    調理器本体
２    天板
１５  グリルケース
１８  排気孔
２０  排気筒
２１  排出孔
３４  触媒ケース
３７  触媒
４６  排気ファン
４４  吸気孔
４５  吸気孔
４８  ファンモータ
５０  排気開口
５１  吸気板
５２  フック部
５３  排気通路
５５  通気孔
５６  係止片
５７  上面板
５８  ビス
【図１】
2008075915.tif 000003
【図２】
2008075915.tif 000004
【図３】
2008075915.tif 000005
【図４】
2008075915.tif 000006
【図５】
2008075915.tif 000007
【図６】
2008075915.tif 000008